(57)【要約】【課題】三つの頂部が特定の位置関係で配置される隆起を有することにより、立位姿勢での安定性を向上させる履き物用中敷きおよび履き物を提供する。【解決手段】履き物に装着される中敷き１０であって、履き物の中底に対応する形状であり、履き物に装着された状態で上面側に、爪先側端部から踵側端部までの全長に対して爪先側端部から２／５程度の位置から４／５程度の位置に至る、凸部１１、１２、１３を有する。凸部１１、１２、１３の頂部は、中敷き１０の全長に対して略中央で、中敷き１０の幅方向に対して略中央に位置する第１の頂部１１ａと、中敷き１０の全長に対して爪先側端部から２／３程度の位置における幅方向に沿って位置する第２の頂部１２ａおよび第３の頂部１３ａとからなる。第２の頂部１２ａは、中敷き１０の内足側の縁に位置する。第３の頂部１３ａは、中敷き１０の外足側の縁から幅方向の長さの１／４程度の位置に位置する。【選択図】図１
2020080884.tif 000002
【特許請求の範囲】
【請求項１】
履き物に装着される中敷きであって、
前記履き物の内側底面に対応する形状であり、
履き物に装着された状態で上面側に、爪先側端部から踵側端部までの全長に対して当該爪先側端部から２／５程度の位置から４／５程度の位置に至る、三つの頂部を有する凸部を有すること、
を特徴とする、履き物用中敷き。
【請求項２】
前記凸部の前記三つの頂部は、前記中敷きの全長に対して略中央で、当該中敷きの幅方向に対して略中央に位置する第１の頂部と、当該全長に対して前記爪先側端部から２／３程度の位置における幅方向に沿って位置する第２の頂部および第３の頂部とからなり、
前記第２の頂部は、前記中敷きの内足側の縁に位置し、
前記第３の頂部は、前記中敷きの外足側の縁から前記幅方向の長さの１／４程度の位置であること
を特徴とする、請求項１に記載の履き物用中敷き。
【請求項３】
前記第２の頂部は、前記第１の頂部および前記第３の頂部よりも高いことを特徴とする、請求項１または請求項２に記載の履き物用中敷き。
【請求項４】
前記第１の頂部と前記第３の頂部とは、同じ高さであることを特徴とする、請求項３に記載の履き物用中敷き。
【請求項５】
履き物に装着される中敷きであって、
履き物に装着された状態で上面側に三つの凸部を有し、
前記三つの凸部は、
前記中敷きが装着される前記履き物の中底における爪先側端部から踵側端部までの全長に対して略中央で、当該中底の幅方向に対して略中央に頂部が位置する第１の凸部と、
前記中底の全長に対して前記爪先側端部から２／３程度の位置で、当該中底の内足側の縁に対応する位置に頂部が位置する第２の凸部と、
前記中底の全長に対して前記爪先側端部から２／３程度の位置で、当該中底の外足側の縁から当該中底の幅方向の長さの１／４程度の位置に頂部が位置する第３の凸部と、
からなることを特徴とする、履き物用中敷き。
【請求項６】
中底における爪先側端部から踵側端部までの全長に対して略中央で、当該中底の幅方向に対して略中央に頂部が位置する第１の凸部と、
前記中底の全長に対して前記爪先側端部から２／３程度の位置で、当該中底の内足側の縁に対応する位置に頂部が位置する第２の凸部と、
前記中底の全長に対して前記爪先側端部から２／３程度の位置で、当該中底の外足側の縁から当該中底の幅方向の長さの１／４程度の位置に頂部が位置する第３の凸部と、
を備えることを特徴とする、履き物。
【発明の詳細な説明】
【技術分野】
【０００１】
本発明は、履き物用中敷きおよび履き物に関する。
【背景技術】
【０００２】
従来、足への衝撃の緩和や負荷の軽減、運動性の向上、立位姿勢での安定性の向上等、様々な観点から履き物用中敷きが提供されている。下記の特許文献１には、第一中足骨種子骨と第五中足骨粗面と踵骨隆起の三点を足の裏から支持し、三点バランスにより重心安定を可能にして足の裏からの身体連動を調芯して正常な姿勢に復帰しようとする刺激を与える靴用インソールが開示されている。
【０００３】
また、下記の特許文献２には、足の３アーチの崩れを矯正又は防止すると共に足底筋膜炎の発生を防止できるインソールが開示されている。特許文献２に開示されたインソールは、足に接する面に、足の３アーチを保つための横アーチ用凸部、内側縦アーチ用凸部、外側縦アーチ用凸部が成型され、さらに足の後足部に対応する後足部対応領域の表面側に、足の踵骨の踵骨隆起付近から放射状に出る足底筋膜の筋膜起点部を保護するための凹形状の足底筋膜保護用凹部が成型されている。
【先行技術文献】
【特許文献】
【０００４】
【特許文献１】特開２０１３−１５０７９７号公報
【特許文献２】特開２０１７−２３７０６号公報
【発明の概要】
【発明が解決しようとする課題】
【０００５】
立位姿勢での安定性を向上させるためには、中敷きの形状において更なる工夫の余地があった。
【０００６】
本発明は、三つの頂部が特定の位置関係で配置される隆起を有することにより、立位姿勢での安定性を向上させる履き物用中敷きおよび履き物を提供することを目的とする。
【課題を解決するための手段】
【０００７】
上記の目的を達成する本発明は、履き物に装着される中敷きであって、履き物の内側底面に対応する形状であり、履き物に装着された状態で上面側に、爪先側端部から踵側端部までの全長に対して爪先側端部から２／５程度の位置から４／５程度の位置に至る、三つの頂部を有する凸部を有すること、を特徴とする。
より好ましくは、凸部の三つの頂部は、中敷きの全長に対して略中央で、中敷きの幅方向に対して略中央に位置する第１の頂部と、中敷きの全長に対して爪先側端部から２／３程度の位置における幅方向に沿って位置する第２の頂部および第３の頂部とからなり、第２の頂部は、中敷きの内足側の縁に位置し、第３の頂部は、中敷きの外足側の縁から幅方向の長さの１／４程度の位置である。
より詳細には、第２の頂部は、第１の頂部および第３の頂部よりも高く、第１の頂部と第３の頂部とは、同じ高さである。
また、上記の目的を達成する他の本発明は、履き物に装着される中敷きであって、履き物に装着された状態で上面側に三つの凸部を有し、この三つの凸部は、中敷きが装着される履き物の中底における爪先側端部から踵側端部までの全長に対して略中央で、中底の幅方向に対して略中央に頂部が位置する第１の凸部と、中底の全長に対して爪先側端部から２／３程度の位置で、中底の内足側の縁に対応する位置に頂部が位置する第２の凸部と、中底の全長に対して爪先側端部から２／３程度の位置で、中底の外足側の縁から中底の幅方向の長さの１／４程度の位置に頂部が位置する第３の凸部と、からなることを特徴とする。
また、上記の目的を達成するさらに他の本発明は、中底における爪先側端部から踵側端部までの全長に対して略中央で、中底の幅方向に対して略中央に頂部が位置する第１の凸部と、中底の全長に対して爪先側端部から２／３程度の位置で、中底の内足側の縁に対応する位置に頂部が位置する第２の凸部と、中底の全長に対して爪先側端部から２／３程度の位置で、中底の外足側の縁から中底の幅方向の長さの１／４程度の位置に頂部が位置する第３の凸部と、を備えることを特徴とする、履き物である。
【発明の効果】
【０００８】
本発明は、三つの頂部が特定の位置関係で配置される隆起を有することにより、立位姿勢での安定性を向上させる履き物用中敷きおよび履き物を提供することができる。
【図面の簡単な説明】
【０００９】
【図１】本実施形態による中敷きを示す図であり、中敷きの上面図である。
【図２】図１に示す中敷きのII−II断面図である。
【図３】図１に示す中敷きの内足側から見た側面図である。
【図４】図１に示す中敷きの断面図であり、図４（Ａ）はIVＡ−IVＡ断面図、図４（Ｂ）はIVＢ−IVＢ断面図、図４（Ｃ）はIVＣ−IVＣ断面図、図４（Ｄ）はIVＤ−IVＤ断面図である。
【図５】中敷きが履き物に装着された様子を示す図である。
【図６】図１に示す中敷きの踵部分を切り取った形状を示す図である。
【図７】図１に示す中敷きの爪先部分を切り取った形状を示す図である。
【発明を実施するための形態】
【００１０】
以下、添付図面を参照して、本発明の実施形態について詳細に説明する。
＜全体構成＞
図１〜図５は、本実施形態による中敷きを示す図である。図１は上面図、図２は図１に示す中敷きのII−II断面図、図３は図１に示す中敷きの内足側から見た側面図、図４（Ａ）は図１に示す中敷きのIVＡ−IVＡ断面図、図４（Ｂ）は図１に示す中敷きのIVＢ−IVＢ断面図、図４（Ｃ）は図１に示す中敷きのIVＣ−IVＣ断面図、図４（Ｄ）は図１に示す中敷きのIVＤ−IVＤ断面図、図５は中敷きが履き物に装着された様子を示す図である。
【００１１】
中敷き１０は、履き物２０の内側底面である中底２１（図５参照）と略同形状を有し、中敷き１０を履き物２０に装着した状態で中底２１を覆う。中敷き１０と履き物２０の中底２１とは、完全に同一の形状ではない場合があるが、中敷き１０を履き物２０に装着した際に中敷き１０が歪んだり、中敷き１０を装着した履き物２０を履いて歩行した際に履き物２０の内部で中敷き１０がずれたりしない程度の差異は、本実施形態の略同形状の範囲に含むものとする。なお、中敷き１０を履き物２０に装着した際に中敷き１０が歪むほどの差異がある場合、中敷き１０を削って履き物２０の中底２１の形状に合わせても良い。また、中敷き１０を装着した履き物２０を履いて歩行した際に履き物２０の内部で中敷き１０がずれるほどの隙間が生じる場合、隙間部分を埋める補助部材を中敷き１０に貼り付けて履き物２０の中底２１の形状に合わせても良い。
【００１２】
中敷き１０は、例えば、表面層、中間層、裏面層の積層構造をなす。表面層は、中敷き１０を履き物に装着し、使用者が履き物を履いた状態で足が接する側の面を構成する。表面層としては、例えば、肌触りを良くし、足裏がずれ難くするために表面が起毛された素材や表面に細かい凹凸が設けられた素材が用いられる。一例として、ポリエステル  ニット  メッシュ（Polyester knitting mesh）等を用いても良い。中間層は、中敷き１０の芯となる層を構成する。中間層としては、例えば、緩衝性を有し、ある程度変形可能でありながら、中敷き１０の芯材としての剛性を有する素材が用いられる。一例として、エチレン  ビニィール  アセテート  フォーム（Ethylene Vinyl acetate Foam）等を用いても良い。裏面層は、履き物２０に装着した状態で中底２１に接する側の面を構成する。裏面層としては、例えば、摩擦により履き物２０の中底２１に対して滑り難い素材が用いられる。一例として、ノン・ウーベン  メルテッド  ファブリック  クリスクロス（Non-woven Melted Fabric with “crisscross”）等を用いても良い。なお、上述した中敷き１０の積層構造は例示に過ぎない。例えば、緩衝性や剛性等の所望の性質を得るため、中間層を相異なる素材による複数の層で構成しても良い。また、各層の素材は、中敷き１０として用い得る種々の素材を用いて良い。
【００１３】
人の足の形状には個人差があり、一定でない。また、立位姿勢や歩行時における重心の位置や移動にも各人の特徴があり、一定でない。これに対し、裏面層側から削ったり、補助部材を貼り付けたりすることにより、中敷き１０の厚みを部分的に増減することによる調整を可能としても良い。
【００１４】
＜中敷きの凸部の構成＞
中敷き１０には、履き物２０に装着された状態で上面側に、三つの頂部を有する凸部が形成されている。この凸部は、三つの頂部を有する一つの凸部として把握しても良いし、各々が一つの頂部を有する三つの凸部として把握しても良い。ここでは、三つの凸部が形成されているものとして説明する。すなわち、図１〜図４に示すように、中敷き１０には三つの凸部１１、１２、１３が形成されている。
【００１５】
第１の凸部１１は、外足側と爪先側へやや張り出した略円形の輪郭の、なだらかに盛り上がった領域である。また、凸部１１は、中敷き１０の爪先側端部から踵側端部までの長さ方向（図１でII−II断面と指示する直線の方向）に、かかる方向の長さ（全長）に対して爪先側端部から２／５程度の位置から３／５程度の位置に至る長さを有し、長さ方向と直交する幅方向に、かかる幅方向の長さに対して内足側から１／４程度の位置から５／６程度の位置に至る長さを有する広さの領域である。
【００１６】
凸部１１の最も高い部位である第１の頂部１１ａは、中敷き１０の爪先側端部から踵側端部までの長さ方向の略中央で、長さ方向と直交する幅方向の略中央に形成されている。頂部１１ａの高さは、例えば中敷き１０の凸部１１、１２、１３が形成されていない面から４〜４．５ｍｍ程度である。ただし、使用者の足の形状や重心の位置、歩き方等に応じて調整して良い。頂部１１ａは、尖った点ではなく丸みを帯びた面である。なお、頂部１１ａをある程度の広さの平面としても良い。
【００１７】
第２の凸部１２は、凸部１１よりも踵側で、かつ内足側に位置する略卵型の輪郭の、なだらかに盛り上がった領域である。また、凸部１２は、中敷き１０の爪先側端部から踵側端部までの長さ方向に、かかる方向の長さに対して爪先側端部から１／２程度の位置から４／５程度の位置に至る長さを有し、長さ方向と直交する幅方向に、かかる幅方向の長さに対して内足側から３／５程度の位置から内足側の縁に至る長さを有する広さの領域である。
【００１８】
凸部１２の最も高い部位である第２の頂部１２ａは、中敷き１０の内足側の縁上で、中敷き１０の爪先側端部から踵側端部までの長さ方向に、かかる方向の長さに対して爪先側端部から２／３程度の位置に形成されている。頂部１２ａの高さは、例えば中敷き１０の凸部１１、１２、１３が形成されていない面から７．５ｍｍ程度である。ただし、使用者の足の形状や重心の位置、歩き方等に応じて調整して良い。頂部１２ａは、尖った点ではなく丸みを帯びた面である。なお、頂部１２ａをある程度の広さの平面としても良い。
【００１９】
第３の凸部１３は、凸部１１よりも踵側で、かつ外足側に位置する略半円型の輪郭の、なだらかに盛り上がった領域である。また、凸部１３は、中敷き１０の爪先側端部から踵側端部までの長さ方向に、かかる方向の長さに対して爪先側端部から３／５弱程度の位置から４／５程度の位置に至る長さを有し、長さ方向と直交する幅方向に、かかる幅方向の長さに対して外足側から２／５程度の位置から外足側の縁付近に至る長さを有する広さの領域である。
【００２０】
凸部１３の最も高い部位である第３の頂部１３ａは、中敷き１０の爪先側端部から踵側端部までの長さ方向に、かかる方向の長さに対して爪先側端部から２／３程度の位置で、長さ方向と直交する幅方向に、かかる幅方向の長さに対して外足側の縁から１／４程度の位置に形成されている。頂部１３ａの高さは、例えば中敷き１０の凸部１１、１２、１３が形成されていない面から４ｍｍ程度である。ただし、使用者の足の形状や重心の位置、歩き方等に応じて調整して良い。頂部１３ａは、尖った点ではなく丸みを帯びた面である。なお、頂部１３ａをある程度の広さの平面としても良い。
【００２１】
三つの凸部１１、１２、１３の各頂部１１ａ、１２ａ、１３ａを対比すると、頂部１１ａは、中敷き１０の略中央に位置し、頂部１２ａおよび頂部１３ａは、頂部１２ａよりも踵側の特定の位置における幅方向に沿って並んで位置している。また、頂部１１ａ、１２ａ、１３ａの中で、中敷き１０の凸部１１、１２、１３が形成されていない面からの高さは、頂部１２ａが最も高く、頂部１１ａと頂部１３ａとは同程度、または、頂部１１ａが頂部１３ａよりもわずかに高い。
【００２２】
以上、中敷き１０に形成された凸部を三つの凸部１１、１２、１３として説明したが、上述したように、この凸部は一つの凸部と把握しても良い。この場合、この凸部は、中敷き１０の爪先側端部から踵側端部までの長さ方向に、かかる方向の長さに対して爪先側端部から２／５程度の位置から４／５程度の位置に至る広さで、三つの頂部１１ａ、１２ａ、１３ａを有すると共に、各頂部１１ａ、１２ａ、１３ａの間がなだらかな曲面でつながれた領域として把握される。
【００２３】
＜変形例＞
図１〜図５を参照して説明した上記の構成では、中敷き１０は、履き物２０の中底２１と略同形状を有していた。しかしながら、本実施形態の中敷き１０は、履き物２０に装着された状態で凸部１１、１２、１３の各頂部１１ａ、１２ａ、１３ａが上述した位置関係を有していれば、中敷き１０自体の輪郭形状は問わない。例えば、履き物２０の種類や使用者の好みによっては、中敷き１０の形状を踵部分や爪先部分が無い形状の方が履き物２０に装着が容易であると想定される場合がある。このような場合であっても、履き物２０に装着された状態で、上述した位置関係に凸部１１、１２、１３および頂部１１ａ、１２ａ、１３ａが配置されれば良い。ただし、この場合、凸部１１、１２、１３および頂部１１ａ、１２ａ、１３ａの位置関係は、履き物２０の中底２１の形状との関係において定まる。
【００２４】
図６は、図１〜図５に示した中敷き１０の踵部分を切り取った形状を示す図であり、図７は、図１〜図５に示した中敷き１０の爪先部分を切り取った形状を示す図である。図６に示す中敷き１０ａは、踵部分が無いが、爪先部分が履き物２０の中底２１における爪先部分に対応する。このため、中敷き１０ａを履き物２０に装着した状態で、中底２１に対し、図１〜図５に示した中敷き１０と同様の位置に凸部１１、１２、１３および頂部１１ａ、１２ａ、１３ａが配置される。同様に、図７に示す中敷き１０ｂは、爪先部分が無いが、踵部分が履き物２０の中底２１における爪先部分に対応する。このため、中敷き１０ｂを履き物２０に装着した状態で、中底２１に対し、図１〜図５に示した中敷き１０と同様の位置に凸部１１、１２、１３および頂部１１ａ、１２ａ、１３ａが配置される。
【００２５】
図６および図７に示す変形例において、凸部１１の頂部１１ａは、中敷き１０ａ、１０ｂが装着される履き物２０の中底２１における爪先側端部から踵側端部までの長さ方向の略中央で、長さ方向と直交する幅方向の略中央に位置する。凸部１２の頂部１２ａは、この中底２１の爪先側端部から踵側端部までの長さ方向の全長に対して爪先側端部から２／３程度の位置で、中底２１の内足側の縁に対応する位置である。凸部１３の頂部１３ａは、この中底２１の爪先側端部から踵側端部までの長さ方向の全長に対して爪先側端部から２／３程度の位置で、中底２１の外足側の縁から中底２１の幅方向の長さの１／４程度の位置である。
【００２６】
図６に示す変形例では踵部分を切り取った形状の中敷き１０ａについて説明し、図７に示す変形例では爪先部分を切り取った形状の中敷き１０ｂについて説明したが、これらは例示に過ぎない。図１〜図５を参照して説明したように凸部１１、１２、１３および頂部１１ａ、１２ａ、１３ａの配置を特定することができれば、爪先部分および踵部分の両方を切り取った形状の中敷きとしても良い。また、履き物２０の中底２１自体を、図１〜図５を参照して説明したように凸部１１、１２、１３および頂部１１ａ、１２ａ、１３ａを配置した形状としても良い。言い換えれば、履き物２０自体を、図１〜図５を参照して説明したように配置された凸部１１、１２、１３および頂部１１ａ、１２ａ、１３ａを有するものとして構成しても良い。
【００２７】
人の足の骨格には、内側縦アーチ、横アーチ、外側縦アーチ等と呼ばれる三つのアーチが形成される。既存の履き物用中敷きには、これらのアーチを支持すべく、足の各アーチの位置に応じて凸部を形成するものがある。この場合、人の足の形状には個人差があり、一定でないため、中敷きを使用する各人の足の形状に合わせて、個別に凸部の位置および高さを調整することが必要となる。これに対し、本実施形態は、中敷き１０自体の形状または中敷き１０が挿入される履き物２０の中底２１の形状と、各凸部１１、１２、１３の相対的な位置関係とに基づいて、凸部１１、１２、１３および頂部１１ａ、１２ａ、１３ａの形状および位置が特定され、個人の足の形状に合わせて個別に調整する必要はない。
【００２８】
以上、本実施形態について説明したが、本発明の技術的範囲は上記の実施形態には限定されない。例えば、上記の実施形態において、図１〜図４では、凸部１１、１２、１３の配置を示すべく、凸部１１、１２、１３と凸部１１、１２、１３が形成されていない領域との境界を明示しているが、実際には、明確な境界を形成せずに滑らかな曲面をもって凸部１１、１２、１３を形成しても良い。また、凸部１１、１２、１３が形成されない領域は、平面である必要はなく、凸部１１よりも爪先側の前足部や凸部１２、１３よりも踵側の後足部において、一般的な中敷きに見られるような足裏を保持する凹みを形成しても良い。その他、本発明の技術思想の範囲から逸脱しない様々な変更や構成の代替は、本発明に含まれる。
【符号の説明】
【００２９】
１０、１０ａ、１０ｂ…中敷き、１１、１２、１３…凸部、１１ａ、１２ａ、１３ａ…頂部、２０…履き物、２１…中底
【図１】
2020080884.tif 000003
【図２】
2020080884.tif 000004
【図３】
2020080884.tif 000005
【図４】
2020080884.tif 000006
【図５】
2020080884.tif 000007
【図６】
2020080884.tif 000008
【図７】
2020080884.tif 000009
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
履き物に装着される中敷きであって、
前記履き物の内側底面に対応する形状であり、
履き物に装着された状態で上面側に、爪先側端部から踵側端部までの全長に対して当該爪先側端部から２／５程度の位置から４／５程度の位置に至る、三つの頂部を有する凸部を有し、
前記凸部の前記三つの頂部は、前記中敷きの全長に対して略中央で、当該中敷きの幅方向に対して略中央に位置する第１の頂部と、当該全長に対して前記爪先側端部から２／３程度の位置における幅方向に沿って位置する第２の頂部および第３の頂部とからなり、
前記第２の頂部は、前記中敷きの内足側の縁に位置し、
前記第３の頂部は、前記中敷きの外足側の縁から前記幅方向の長さの１／４程度の位置であること
を特徴とする、履き物用中敷き。
【請求項２】
前記第２の頂部は、前記第１の頂部および前記第３の頂部よりも高いことを特徴とする、請求項１に記載の履き物用中敷き。
【請求項３】
前記第１の頂部と前記第３の頂部とは、同じ高さであることを特徴とする、請求項１または請求項２に記載の履き物用中敷き。
【請求項４】
履き物に装着される中敷きであって、
履き物に装着された状態で上面側に三つの凸部を有し、
前記三つの凸部は、
前記中敷きが装着される前記履き物の中底における爪先側端部から踵側端部までの全長に対して略中央で、当該中底の幅方向に対して略中央に頂部が位置する第１の凸部と、
前記中底の全長に対して前記爪先側端部から２／３程度の位置で、当該中底の内足側の縁に対応する位置に頂部が位置する第２の凸部と、
前記中底の全長に対して前記爪先側端部から２／３程度の位置で、当該中底の外足側の縁から当該中底の幅方向の長さの１／４程度の位置に頂部が位置する第３の凸部と、
からなることを特徴とする、履き物用中敷き。
【請求項５】
中底における爪先側端部から踵側端部までの全長に対して略中央で、当該中底の幅方向に対して略中央に頂部が位置する第１の凸部と、
前記中底の全長に対して前記爪先側端部から２／３程度の位置で、当該中底の内足側の縁に対応する位置に頂部が位置する第２の凸部と、
前記中底の全長に対して前記爪先側端部から２／３程度の位置で、当該中底の外足側の縁から当該中底の幅方向の長さの１／４程度の位置に頂部が位置する第３の凸部と、
を備えることを特徴とする、履き物。